(57)【特許請求の範囲】
【請求項１】
建物の室内外の開口（Ｌ）に沿って枠組みする木製フレーム（１ａ,１ｂ,２,３）と、木製フレーム（１ａ，１ｂ，２，３）のうちの各縦框（１ａ,１ｂ）間で回転可能に軸支する多数の可動翼（４）とを備えており、
各縦框（１ａ，１ｂ）は、互いの内周側面をそれぞれ開放し且つ内部に凹溝（Ｓ）を有するほぼコ字型に形成してあり、
各可動翼（４）は、少なくとも一方の軸部（５）に各々歯車（６）を有しており、各歯車（４）は、噛合して上下動自在なラック（７）を備えており、ラック（７）は、各歯車（４）の前後左右側を囲むように配設した補強部材（８）の内周側に上下動自在に取り付けてあるとともに補強部材（８）内で上下動して各可動翼（４）の傾斜角度を同期調節できるように形成してあり、
補強部材（８）は、縦框（１ａ,１ｂ）内周側の凹溝（Ｓ）に嵌り込むことで着脱可能であることを特徴とする木製可動ルーバ。
【発明の詳細な説明】
【技術分野】
【０００１】
本発明は、建物の室内外の開口に射し込む太陽光や照明による光線の照射を調整するためのルーバに関するものであって、その中でも特に天然木を用いた可動ルーバに関するものである。
【背景技術】
【０００２】
低コストで大量生産が可能であることから、現在の室内外用建具の主流はアルミ製のものに移行しつつあるが、一方で天然木を適用した木製建具が見直されており、その中でも特に、採光の具合を使用者の好みの状態に調節できる木製可動ルーバが注目を集めている。
【特許文献１】特開２００２−４７８６８号公報
【発明の開示】
【発明が解決しようとする課題】
【０００３】
木製建具に可動ルーバを適用する場合には、可動翼の傾斜角度の同期調節を行う機能部分を縦框に格納する都合上、該縦框内に格納用のスペースを設ける必要があり、従って前記スペースを設けた上で建具の強度を確保するために、縦框の幅を広くする必要があった。一方で可動ルーバを適用するアルミ建具では、堅牢なアルミ型材をフレームとして使用しているため、例えば、室内用の三枚引違戸などの比較的框幅の狭い建具に可動翼を適用しても、建具形成時に充分な強度を確保できるが、木製建具の場合には、狭い縦框内に前述の機能部分を格納するスペースを設けると強度が保たれず、可動ルーバの適用を狭めざるを得ないのが現状であった。
【０００４】
本発明は上記課題に鑑みて成されたものであって、充分な強度を保ちながら室内外の様々な条件の開口に取り付けることが可能な木製可動ルーバを提供することにある。
【課題を解決するための手段】
【０００５】
本発明の木製可動ルーバは、建物の室内外の開口に沿って枠組みする木製フレームと、木製フレームのうちの各縦框間で回転可能に軸支する多数の可動翼とを備えており、各縦框は、互いの内周側面をそれぞれ開放し且つ内部に凹溝を有するほぼコ字型に形成してあり、各可動翼は、少なくとも一方の軸部に各々歯車を有しており、各歯車は、噛合して上下動自在なラックを備えており、ラックは、各歯車の前後左右側を囲むように配設した補強部材の内周側に上下動自在に取り付けてあるとともに補強部材内で上下動して各可動翼の傾斜角度を同期調節できるように形成してあり、補強部材は、縦框内周側の凹溝に嵌り込むことで着脱可能であることを特徴とする。
【０００６】
ここで前後左右の方向は、木製可動ルーバを正面視した状態を基準としたものである。また本木製可動ルーバの適用箇所は、例えば窓や間仕切り戸等、建物の室内外問わずに利用できるため、前述した前後左右の方向については、本木製可動ルーバの使用形態によって室内、室外、隣室等に当てはめられる。また歯車を囲むように配設した補強部材とは、縦框の強度を確保するのは勿論、ラックの上下動及び各歯車の回転を妨げない形態である必要があることから、例えば縦框の長手方向に沿って上下に連続する筒型、箱型などに形成してあればよい。
【０００７】
以上のように形成すると、各可動翼の軸部に有する歯車に噛合して回転力を付与するラックが、縦框内に介在する補強部材の中で上下動することにより、該補強部材は、縦框内で芯材的な役割を果たすと同時に、噛み合った状態にある各歯車及びラックを内部に収めることができる。
【０００８】
また、補強部材は、縦框内周側の凹溝に嵌り込んで着脱可能であることから、可動翼の傾斜角度を同期調節するための機能部分（例えば歯車、ラックなど）を補強部材ごと縦框内から取り外し、さらに点検の後には再び補強部材ごと縦框内に取り付けるといった使い方が可能となる。
【発明の効果】
【０００９】
本発明によれば、木製建具の縦框の中に、可動翼の傾斜角度の同期調節を行うための機能部分を収める場合であっても、補強部材を介して収めてあることにより、例えば室内用引違戸などの縦框を細くせざるを得ない木製建具であっても、充分な強度を確保した上で可動翼を適用でき、従って、様々な建物の室内外の開口部に対応した木製可動ルーバを提供することができる。また、各可動翼や歯車、ラックなどと一緒に補強部材を縦框内の凹溝から着脱できることにより、可動翼の傾斜角度の同期調節を行うための機能部分のメンテナンスが容易に行える。
【発明を実施するための最良の形態】
【００１１】
以下、本発明による木製可動ルーバの実施の形態を図面に基づいて以下に説明する。
本木製可動ルーバの全体の構成は図１のように、建物の室内開口Ｌに装着する木製のフレームを形成する上桟２と下桟３、そして左右に平行に配置した各縦框１ａ,１ｂの間に、上下に等間隔に複数の木製の可動翼４が軸部５を介して縦回転可能に軸支してあり、当該各軸部５の先端にはそれぞれに歯車６を有している。また正面視右側の縦框１ａには、該縦框１ａの長手方向に沿って延びる凹溝Ｓを設けてあり、この凹溝Ｓには、該凹溝Ｓと一致する矩形筒型の芯材８を着脱自在に取り付けてあり、該芯材８の内部背面側には、ガイド溝Ｖに沿って上下動するラック７を備えており、このラック７には前記各歯車６が噛合し、ラック７の上下動により各可動翼４の傾斜角度を同期調節するものとなっている。
【００１２】
また、芯材８内におけるラック７の上下動については、下桟３の上部に備えた操作レバー９との連動により行われる。具体的には図２（ａ）（ｂ）に示すように、操作レバー９の左右にスライドする動きを、ラック７の上下の動きに変換するための伝達ユニット１０を介在している。この伝達ユニット１０の具体的な構成は、例えば図２（ａ）のように、操作レバー９を右側にスライドすれば、該操作レバー９側の裏面側に有する伝達ラック１２と噛合する平歯車１３ａを時計回りに回し、この平歯車１３ａと一体的に備えてある駆動笠歯車１１ａも同時に回る。そして前記駆動笠歯車１１ａは、伝達ユニット１０の右部に軸支した従動笠歯車１１ｂと噛み合っており、この従動笠歯車１１ｂが前記駆動笠歯車１１ａの回転に伴って反時計回りに回る。そうすると、従動笠歯車１１ｂとシャフトを介して取り付けられる平歯車１３ｂも同時に反時計回りに回転し、さらに前記平歯車１３ｂとラック７とが噛合していることにより、該ラック７が下方に移動し、これに伴って各可動翼４の傾斜角度が、各々立てられた状態から水平となるように同期調節される。
尚、図２（ｂ）は、操作レバー９を左側にスライドした場合の伝達ユニット１０の動きを示すものであり、この場合、前述した右側へのスライド時とは反対に、ラック７が上方に移動して各可動翼４が各々水平な状態から立てられた状態となるように同期調節される。
【００１３】
次に、本木製可動ルーバの主要部となる芯材８、及び該芯材８の縦框１ａとの取付部位の各構成について、以下に説明する。
芯材８は図３のように、縦框１ａの凹溝Ｓと一致した矩形筒型をなすものである。また芯材８を形成する周壁のうちの背面側の周壁１４には、ガイド溝Ｖが設けてあり、このガイド溝Ｖにはラック７が上下摺動可能に備えられる。さらに芯材８の正面視左側の周壁１５には、各可動翼４の軸部５の突出を受け入れる軸受孔１７を上下に等間隔に多数設けている。また芯材８と縦框１ａとの取り付けについては、該縦框１ａの凹溝Ｓの正面側から芯材８を差し込み、この芯材８の正面視右側の周壁１６から突出した軸部５の先端を縦框１ａ側に設けた受穴１８に係合することで、芯材８を縦框１ａの凹溝Ｓから下方に抜け出さないように形成している（図４参照）。
【００１４】
また芯材８の縦框１ａ凹溝Ｓへの取り付けについては以下のように行うことも可能である。この取付手順では図５に示すように、前記凹溝Ｓ内の三方に、芯材８を構成する周壁１４,１６,１９を予め配設し、さらに正面視左側の周壁１６の上下に間隔をあけて歯車６を通した各軸部５を突出し、当該各軸部５の先端を縦框１ａの各受穴１８に係合する一方、当該各周壁１４,１６,１９により三方を囲まれた歯車走行スペースＲにおいて各歯車６とラック７とを噛合する。また芯材８の正面視左側の開放部分には、残る１つの周壁１５を取り付けるが、この際には、前記各軸部５の他方先端を該周壁１５の上下に設けられた各軸受孔１７に通し、さらに周壁１５の各軸受孔１７から突出した各軸部５の他方先端を、対応する各可動翼４の側面に突入して当該各可動翼４を軸支することも可能である。
【００１５】
以上のように芯材８を縦框１ａの凹溝Ｓに収めることで図６（ａ）（ｂ）に示すように、この芯材８の歯車走行スペースＲにおいては、正面視左側の周壁１４の軸受孔１７に突入した軸部５の歯車６がラック７と噛合しており、このラック７の上下動によって歯車６に回転力を付与する一方、芯材８は、縦框１ａ外側の上下あるいは側部から加わる外力に対し、縦框１ａの内側から抗するように配設してあることで、縦框１ａの強度を保つことになり、建て込みに際してシビアな建物の室内外の開口において、縦框１ａの太さにとらわれない様々な態様の木製可動ルーバを適用できる。
【００１６】
図７は本発明の他の実施形態を示すものであり、この木製可動ルーバは、ルーバ本体の内部に減速ユニット２０を組み込み、各可動翼４開閉時にツマミ９を比較的軽い力で動かせるように形成したものである。そして、前記減速ユニット２０の具体的な構造は図８（ａ）（ｂ）に示すように、ツマミ９の左右へのスライドと連動するとともに各々が直交して噛み合わされる駆動・従動の各笠歯車１１ａ，１１ｂと、各可動翼４に回転力を付与するラック７を上下する平歯車１３ｂとの間に、大小各４個の径の異なる各減速歯車２１ａ，２１ｂ，２１ｃ，２１ｄをそれぞれ噛み合わせて構成するものである。このように各減速歯車２１ａ，２１ｂ，２１ｃ，２１ｄを噛み合わせると、各可動翼４を水平位置から下向きに傾斜する角度となるまで回動させるために、ツマミ９のスライドする距離を長くすることになるが、ツマミ９のスライド時の動きは大幅に軽くなり、その使用感は、ツマミ９のスライド量と各可動翼４の回動する距離とが同一である場合よりも飛躍的に向上することになる。
尚、本実施形態では減速ユニット２０の各減速歯車２１ａ，２１ｂ，２１ｃ，２１ｄのギア比は、可動翼４が水平位置（開いた状態）から傾斜位置（閉じた状態）まで可変する回転距離を１とすれば、ツマミ９のスライドする距離が４となるように設定してあるが、前記ツマミ９をスライドする際の負荷が明らかに軽くなるように感じられるギア比であれば、特にその設定について限定するものではない。
【００１７】
また本実施形態のツマミ９は図９のように、正面視した際にルーバ本体の一部に隠れるような構造となっており、具体的には、ルーバ本体における各可動翼４を配置する上側部分と、各可動翼４の回動に係る部位が格納された下側部分との間に指を入れるためのスリット２３を設けている。このスリット２３の上部側は、下向き凹状の溝２４が形成してあり、該溝２４内に沿ってツマミ９がスライドすることで減速ユニット２０の各減速歯車２１ａ，２１ｂ，２１ｃ，２１ｄを経てラック７を上下動させ、各可動翼４に回転力を伝達することになる。以上のようにツマミ９を配設すると、本木製可動ルーバは正面視した際、一見可動翼４が所定の角度で固定されたデザインのように映るが、正面視して隠れた箇所にあるツマミ９を左右にスライドさせれば、各可動翼４を開け閉めできることから、デザインの意外性を楽しむといった使い方もできる。
尚、符号２２はツマミを溝２４位置で支持するアームである。
【図面の簡単な説明】
【００１８】
【図１】本発明の木製可動ルーバの全体を示す正面図である。
【図２（ａ）（ｂ）】図１中Ａを拡大した説明図である。
【図３】図１中Ｂを拡大した斜視図である。
【図４】芯材と縦框との取付状態を示す斜視図である。
【図５】同じく、芯材と縦框との取付状態を示す斜視図である。
【図６（ａ）（ｂ）】図１中のＣ−Ｃ線を断面し、本木製可動ルーバの作動状態を説明した図である。
【図７】本発明の木製可動ルーバの他の実施形態を示す正面図である。
【図８（ａ）（ｂ）】図７中Ｅを拡大して示す説明図である。
【図９】図７のＦ−Ｆ線縦断面図である。
【符号の説明】
【００１９】
１ａ，１ｂ  縦框（木製フレーム）
２  上桟（木製フレーム）
３  下桟（木製フレーム）
４  可動翼
５  軸部
６  歯車
７  ラック
８  芯材（補強部材）
Ｌ  開口
Ｓ  凹溝
【図１】
0004677321.tif 000002
【図２（ａ）（ｂ）】
0004677321.tif 000003
【図３】
0004677321.tif 000004
【図４】
0004677321.tif 000005
【図５】
0004677321.tif 000006
【図６（ａ）（ｂ）】
0004677321.tif 000007
【図７】
0004677321.tif 000008
【図８（ａ）（ｂ）】
0004677321.tif 000009
【図９】
0004677321.tif 000010